(57)【要約】【課題】呼吸キャップの取付け状態が容易に確認できて不具合の発生を事前に防止することができる照明器具を提供することにある。【解決手段】呼吸孔１７に呼吸キャップ５０が取り付けてなるハウジング１０とアウターレンズ４０とによって形成された閉空間内のハウジング１０側に光源モジュール２０を配設すると共にアウターレンズ４０側に、ハウジング１０の呼吸キャップ５０の取り付け状態確認用の貫通孔３３を有するエクステンション３０を配設した。これにより、アウターレンズ４０の前方からの正面視で、エクステンション３０の貫通孔３３とハウジング１０の呼吸孔１７とが重なる位置に位置して、エクステンション３０の貫通孔３３を通してハウジング１０の呼吸孔１７に取り付けられた呼吸キャップ５０の取り付け状態を直接見ることができる。【選択図】図３
2019008909.tif 000002
【特許請求の範囲】
【請求項１】
呼吸孔に呼吸キャップが取り付けてなるハウジングと、
前記呼吸キャップの取り付け状態確認用の貫通孔を有するエクステンションと、
光源モジュールと、
アウターレンズと、を備え、
前記ハウジングと前記アウターレンズとによって形成された閉空間内の前記ハウジング側に前記光源モジュールが配設されると共に前記アウターレンズ側に前記エクステンションが配設され、
前記アウターレンズの前方からの正面視で、前記エクステンションの貫通孔と前記ハウジングの呼吸孔とが重なる位置に位置しており、前記エクステンションの貫通孔を通して前記ハウジングの呼吸孔に取り付けられた呼吸キャップを直接見ることができることを特徴とする照明器具。
【請求項２】
前記エクステンションの貫通孔と前記ハウジングの呼吸孔とを結ぶ領域には前記光源モジュールが存在しないことを特徴とする請求項１に記載の照明器具。
【請求項３】
前記ハウジングの内面には、前記呼吸孔の周囲を取り囲む領域に装飾部が設けられていることを特徴とする請求項１又は請求項２のいずれかに記載の照明器具。
【請求項４】
前記エクステンションの貫通孔は、エッジが前記光源モジュール側に環状に折り曲げられていることを特徴とする請求項１〜請求項３のいずれかに記載の照明器具。
【請求項５】
前記エクステンションの貫通孔は、エッジが前記アウターレンズ側に部分的に折り曲げられていることを特徴とする請求項１〜請求項３のいずれかに記載の照明器具。
【発明の詳細な説明】
【技術分野】
【０００１】
本発明は、照明器具に関するものであり、詳しくは、内部の防水性及び通気性を確保する呼吸キャップを備えた照明器具に関する。
【背景技術】
【０００２】
従来、この種の照明器具としては、例えば、特許文献１にヘッドランプとして開示されたものがある。
【０００３】
開示されたヘッドランプは、ハウジングとレンズとにより形成された灯室内に光源となるバルブが設けられており、ハウジングに呼吸孔が設けられて該呼吸孔を覆うようにフィルタ及びキャップが設けられた構成を有している。呼吸孔は車両（ヘッドランプ）正面視において見えないように前方に配置されたリフレクタ等によって隠されている。
【０００４】
また、特許文献２には、ハウジングとアウターレンズとで形成された灯室内にロービーム用光学系及びハイビーム用光学系が配置され、ハウジングの背面に、灯室に連通する通気孔が形成されて該通気孔が呼吸キャップによって閉塞された構成のヘッドランプが開示されている。この場合、呼吸キャップで閉塞された通気孔は車両（ヘッドランプ）正面視において見えないように前方に配置されたアウターレンズの、通気孔の前方領域に黒塗装が施されて不透明部とされている。
【先行技術文献】
【特許文献】
【０００５】
【特許文献１】特開２０１６−０９１６４２号
【特許文献２】特許第６０６１０７０号
【発明の概要】
【発明が解決しようとする課題】
【０００６】
ところで、特許文献１のヘッドランプにおいて呼吸孔に設けられたフィルタ及びキャップ、及び、特許文献２のヘッドランプにおいて通気孔を閉塞する呼吸キャップはいずれもヘッドランプ正面からは取付け状態を確認することができない。そのため、複雑な手順を経てハウジングの裏側に回って確認せざるを得ない。
【０００７】
その結果、取付けが確実になされていない状態が見逃されてヘッドランプに不具合を生じる可能性がある。
【０００８】
そこで、本発明は上記問題に鑑みて創案なされたもので、その目的とするところは、呼吸キャップの取付け状態が容易に確認できて不具合の発生を事前に防止することができる照明器具を提供することにある。
【課題を解決するための手段】
【０００９】
上記課題を解決するために、本発明の請求項１に記載された発明は、呼吸孔に呼吸キャップが取り付けてなるハウジングと、前記呼吸キャップの取り付け状態確認用の貫通孔を有するエクステンションと、光源モジュールと、アウターレンズと、を備え、前記ハウジングと前記アウターレンズとによって形成された閉空間内の前記ハウジング側に前記光源モジュールが配設されると共に前記アウターレンズ側に前記エクステンションが配設され、前記アウターレンズの前方からの正面視で、前記エクステンションの貫通孔と前記ハウジングの呼吸孔とが重なる位置に位置しており、前記エクステンションの貫通孔を通して前記ハウジングの呼吸孔に取り付けられた呼吸キャップを直接見ることができることを特徴とするものである。
【００１０】
また、本発明の請求項２に記載された発明は、請求項１において、前記エクステンションの貫通孔と前記ハウジングの呼吸孔とを結ぶ領域には前記光源モジュールが存在しないことを特徴とするものである。
【００１１】
また、本発明の請求項３に記載された発明は、請求項１又は請求項２のいずれかにおいて、前記ハウジングの内面には、前記呼吸孔の周囲を取り囲む領域に装飾部が設けられていることを特徴とするものである。
【００１２】
また、本発明の請求項４に記載された発明は、請求項１〜請求項３のいずれかにおいて、前記エクステンションの貫通孔は、エッジが前記光源モジュール側に環状に折り曲げられていることを特徴とするものである。
【００１３】
また、本発明の請求項５に記載された発明は、請求項１〜請求項３のいずれかにおいて、前記エクステンションの貫通孔は、エッジが前記アウターレンズ側に部分的に折り曲げられていることを特徴とするものである。
【発明の効果】
【００１４】
本発明の照明器具によれば、呼吸孔に呼吸キャップが取り付けてなるハウジングとアウターレンズとによって形成された閉空間内のハウジング側に光源モジュールを配設すると共にアウターレンズ側に、ハウジングの呼吸キャップの取り付け状態確認用の貫通孔を有するエクステンションを配設した。これにより、アウターレンズの前方からの正面視で、エクステンションの貫通孔とハウジングの呼吸孔とが重なる位置に位置して、エクステンションの貫通孔を通してハウジングの呼吸孔に取り付けられた呼吸キャップの取り付け状態を直接見ることができる。
【００１５】
そのため、ハウジングの呼吸孔に対する呼吸キャップの取付け状態が容易に確認できて不具合の発生を事前に防止することができる照明器具が実現できた。
【図面の簡単な説明】
【００１６】
【図１】本発明の照明器具に係る実施形態の分解斜視図である。
【図２】実施形態の平面図である。
【図３】図２のＡ−Ａ断面図である。
【図４】ハウジングの呼吸孔を見るエクステンションの貫通孔に係る説明図である。
【図５】同じく、ハウジングの呼吸孔を見るエクステンションの貫通孔に係る説明図である。
【図６】ハウジングの呼吸孔近傍の状態を示す説明図である。
【図７】同じく、ハウジングの呼吸孔近傍の状態を示す説明図である。
【図８】ハウジングの呼吸孔を見るエクステンションの貫通孔に係る説明図である。
【発明を実施するための形態】
【００１７】
以下、この発明の好適な実施形態を図１〜図８を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００１８】
図１は本発明の照明器具に係る実施形態の分解斜視図、図２は実施形態の平面図、図３は図２のＡ−Ａ断面図である。
【００１９】
実施形態の照明器具１は、光源を備えた照明ユニット２と照明ユニット２を取り付ける取付用ステー３を備えており、そのうち照明ユニット２は、ハウジング１０、光源モジュール２０、エクステンション３０、アウターレンズ４０及び呼吸キャップ５０を備えている。
【００２０】
ハウジング１０はアルミニウム等の金属材料で形成され、平面視で矩形状を有すると共に、裏面側には裏面１１のほぼ全面に亘って、裏面１１から立ち上がって所定の幅、長さ及び高さで後方に延びる複数の放熱フィン１２が所定の間隔で平行に並設されている。
【００２１】
同様に、裏面１１の互いに対向する側の縁部には、裏面１１から縁部に沿って立ち上がって所定の幅、長さ及び高さで後方に延びる一対のステー支持部１３が設けられている。一対のステー支持部１３の夫々には、照明ユニット２を取付用ステー３に回動可能に締結支持するネジが通る貫通孔１３ａが設けられている。
【００２２】
ハウジング１０の表面側には、表面１４の周縁部に、該表面１４から周縁部に沿って環状に立ち上がって所定の幅及び高さで前方に延びる一対の立壁部１５が所定の間隔で互いに平行に対向配置されている。内側立壁部１５ａと外側立壁部１５ｂとからなる一対の立壁部１５で囲まれた内側の溝部１６は、後述するアウターレンズ４０の脚部４１が挿入されてシール固定される脚部シール溝の機能を有している。
【００２３】
ハウジング１０の表面１４の、内側立壁部１５ａで囲まれた領域１４ａは平坦面で構成され、表面１４の領域１４ａ内には、該ハウジング１０を貫通して、樹脂材料で形成された呼吸キャップ５０を挿嵌する呼吸孔１７、後述する光源モジュール２０を取付固定するネジが通る複数の貫通孔１８が設けられている。
【００２４】
また、表面１４の領域１４ａ内からは、該表面１４から立ち上がって所定の高さで前方に延びる複数のボス１９が設けられている。夫々のボス１９には、後述するエクステンション３０をネジによってネジ止固定する雌ネジ１９ａが切られている。
【００２５】
光源モジュール２０は複数個（本実施形態においては４個）からなり、夫々の光源モジュール２０は、ＬＥＤ２１、基板２２及びインナーレンズ２５を備えている。
【００２６】
基板２２は、ベース基板がアルミニウム、鉄及び銅等の金属材料で形成され、その上に絶縁層を介して導体による回路パターンが形成されてなる金属基板が用いられている。なお、基板２２は上記金属基板の他に、ベース基板がセラミック材料からなるセラミック基板、ガラスエポキシ基板（ＦＲ−４）あるいはガラスコンポジット基板（ＣＥＭ−３）等の基板を用いてもよい。
【００２７】
基板２２は、矩形状を有すると共に、互いに対向する側の端部の夫々の２個所から外側に突出するフランジ部２３を有している。各フランジ部２３には、基板２２をハウジング１０の表面１４の領域１４ａに取付固定するネジが挿通して締結する貫通孔２３ａが設けられている。
【００２８】
また、基板２２の表面上には、複数のＬＥＤ２１が縦横夫々所定の間隔でマトリックス状に実装されている。
【００２９】
基板２２には、該基板２２を複数のＬＥＤ２１が実装された側から覆うようにインナーレンズ２５が取り付けられている。インナーレンズ２５は透光性材料で形成され、表面（ＬＥＤ２１と対向する面と反対側の面）に、各ＬＥＤ２１毎に夫々のＬＥＤ２１の光軸を中心とする前方に凸の球面状又は非球面状のレンズ面２６を備えている。
【００３０】
エクステンション３０は、アルミニウム等の金属平板を材料として板金加工によって形成され、複数（本実施形態においては４つ）の矩形状の窓孔３１が所定の間隔で設けられている。夫々の窓孔３１は、光源モジュール２０を構成するインナーレンズ２５に形成された複数のレンズ面２６の配置領域に対応する形状寸法を有している。
【００３１】
また、エクステンション３０には、ハウジング１０に設けられたボス１９の雌ネジ１９ａに螺合して該エクステンション３０をボス１９にネジ止め固定するネジが通る複数の貫通孔３２と、同様にハウジング１０に設けられた呼吸孔１７を通して観視できる貫通孔３３が形成されている。
【００３２】
アウターレンズ４０は、例えばポリカーボネート樹脂等の透光性材料で形成され、中央部が前方に凸の湾曲面を有し、裏面側には裏面の周縁部に、該裏面から周縁部に沿って環状に立ち上がって所定の幅及び高さで後方に延びる脚部４１が形成されている。
【００３３】
そこで、上記ハウジング１０、光源モジュール２０、エクステンション３０、アウターレンズ４０及び呼吸キャップ５０を備えた照明ユニット２は、以下のように組み上げられている。
【００３４】
ハウジング１０の表面１４の、内側立壁部１５ａで囲まれた領域１４ａの平坦面上に４個の光源モジュール２０が、夫々の光源モジュール２０の基板２２の裏面を面接触させた状態で所定間隔を置いて配設され、光源モジュール２０とハウジング１０とが光源モジュール２０の基板２２に設けられたフランジ部２３に形成された貫通孔２３ａとハウジング１０の領域１４ａに設けられた貫通孔１８とを一体に挿通するネジによって互いに締結されている。
【００３５】
また、ハウジング１０には、該ハウジング１０に設けたられた呼吸孔１７に呼吸キャップ５０が防水パッキン５１を介して挿通されると共にフック部５０ａがハウジング１０に係合され、これにより、後述する、ハウジング１０とアウターレンズ４０とで形成された閉空間内の外気に対する呼吸（通気）機能と、外部からの水の侵入を防止する防水機能とを有している。
【００３６】
そして、光源モジュール２０を前方から覆うようにエクステンション３０が配設され、エクステンション３０に形成された貫通孔３２を挿通したネジがハウジング１０に設けられたボス１９の雌ネジ１９ａに螺合してすることによってエクステンション３０がボス１９にネジ止め固定されている。
【００３７】
更に、エクステンション３０を前方から覆うようにアウターレンズ４０が配置され、アウターレンズ４０に形成された環状の脚部４１がハウジング１０に形成された環状の溝部１６内に挿入されてシール剤によって固定されることにより、ハウジング１０とアウターレンズ４０とが一体化されている。
【００３８】
換言すると、ハウジング１０とアウターレンズ４０とで形成された閉空間内に、光源モジュール２０とエクステンション３０とが収容支持された構成を有している。
【００３９】
この場合、ハウジング１０に設けられた呼吸孔１７とエクステンション３０に設けられた貫通孔３３とは、光源モジュール２０が存在しない領域を通してハウジング１０の表面１４の領域１４ａの平坦面に垂直な線上に位置している。
【００４０】
つまり、照明ユニット２をアウターレンズ４０の前方方向から該アウターレンズ４０を通して見る（正面視）と、エクステンション３０の窓孔３１から光源モジュール２０を構成するインナーレンズ２５に形成された複数のレンズ面２６の配置領域が見える。
【００４１】
同時に、エクステンション３０の貫通孔３３とハウジング１０の呼吸孔１７とが重なる位置に位置しており、エクステンション３０の貫通孔３３からは、光源モジュール２０の配置位置を避けてハウジング１０に設けられた呼吸孔１７を直接見ることができる。これにより、ハウジング１０の後方に回らなくても呼吸孔１７に取り付けられた呼吸キャップ５０の嵌合取付け状態を正面視によって容易に確認することができるため、不具合の発生を事前に防止して照明ユニット２の光学特性を確実に保持することができる。
【００４２】
そして、上記構成の照明ユニット２が、連結ネジ（図示せず）を介して取付用ステー３に回動可能に連結されている。
【００４３】
ところで、図４に示すように、エクステンション３０の貫通孔３３は、孔のエッジが両面に出っ張りのないフラットな面で形成されている。そのため、照明ユニット２をアウターレンズ４０の前方の斜め方向から該アウターレンズ４０を通して見ると、エクステンション３０の貫通孔３３からは光源モジュール２０のインナーレンズ２５の側壁２７が視界に入り、そのために見栄えを損なう恐れがある。
【００４４】
そこで、図５に示すように、エクステンション３０の貫通孔３３のエッジを、絞り加工等によって内側に環状に折り曲げることも可能である。これにより、視線が折曲部６０で遮られて照明ユニット２内の内蔵物が視界に入るのが防止されるため、良好な見栄えを確保することができる。
【００４５】
また、照明ユニット２をアウターレンズ４０の前方正面から少しずれた方向から該アウターレンズ４０を通して見ると、図６に示すように、エクステンション３０の貫通孔３３からはハウジング１０の表面１４の、呼吸孔１７の近傍領域６１が視界に入り、そのために見栄えを損なう恐れがある。
【００４６】
そこで、図７に示すように、ハウジング１０の表面１４の、呼吸孔１７の周囲を取り囲む領域に塗装やシールの貼り付けによる装飾部６２（例えば、金属系光沢部等）を設けることも可能である。これにより、視線が装飾部６２に向くことにより良好な見栄えを演出することができる。
【００４７】
なお、エクステンション３０の貫通孔３３のエッジを内側に環状に折り曲げること、及びハウジング１０の表面１４の、呼吸孔１７の周囲を取り囲む領域に塗装やシールの貼り付けによる装飾部６２を設けることは、同時に行うことが可能である。
【００４８】
更に、エクステンション３０の貫通孔３３を照明ユニット２対流路として活用することも可能である。具体的には、図８（図２のＢ−Ｂ断面図）に示すように、エクステンション３０の貫通孔３３のエッジを、部分的に外側に折り曲げて折曲部６３を設けることにより、エクステンション３０の、ＬＥＤが実装された基板（図示せず）の側と反対側（Ｅ）を流れる対流を、ＬＥＤが実装された基板（図示せず）の側（Ｆ）に取り込んでＬＥＤからの発熱を効率よく放熱することができる。これによりＬＥＤの自己発熱による温度上昇を抑制することが可能となる。
【符号の説明】
【００４９】
１…  照明器具
２…  照明ユニット
３…  取付用ステー
１０…  ハウジング
１１…  裏面
１２…  放熱フィン
１３…  ステー支持部
１３ａ…  貫通孔  
１４…  表面
１４ａ…  領域
１５…  立壁部
１５ａ…  内側立壁部
１５ｂ…  外側立壁部
１６…  溝部（脚部シール溝）
１７…  呼吸孔
１８…  貫通孔
１９…  ボス
１９ａ…  雌ネジ
２０…  光源モジュール
２１…  ＬＥＤ
２２…  基板
２３…  フランジ部
２３ａ…  貫通孔
２５…  インナーレンズ
２６…  レンズ面
２７…  側壁
３０…  エクステンション
３１…  窓孔
３２…  貫通孔
３３…  貫通孔
４０…  アウターレンズ
４１…  脚部
５０…  呼吸キャップ
５０ａ…  フック部
５１…  防水パッキン
６０…  折曲部
６１…  領域
６２…  装飾部
６３…  折曲部
【図１】
2019008909.tif 000003
【図２】
2019008909.tif 000004
【図３】
2019008909.tif 000005
【図４】
2019008909.tif 000006
【図５】
2019008909.tif 000007
【図６】
2019008909.tif 000008
【図７】
2019008909.tif 000009
【図８】
2019008909.tif 000010